(57)【要約】【課題】硬脆材からなる被削材の振動を抑えて精度良く切削加工を行うことができる硬脆材用切削加工工具を提供する。【解決手段】硬脆材用切削加工工具１００は、シャンク１０１の先端部に錐状に突出した形状で焼結ダイヤモンド製の刃部１１０を備えている。刃部１１０は、シャンク１０１の先端部からシャンク１０１の軸方向（長手方向）側に立ち上る第１壁面１１１、第２壁面１１２および第３壁面１１３と、第１壁面１１１と第２壁面１１２とで形成される稜線上に形成される切れ刃１１４と、第１壁面１１１、第２壁面１１２および第３壁面１１３の各先端部に形成される先端面１１５とで構成されている。切れ刃１１４は、シャンク１０１側からシャンク１０１の径方向の内側に向って凹状に凹んで形成された凹状部１１４ａと、この凹状部１１４ａに連続的に形成されてシャンク１０１の軸線方向側に直線状に延びた軸方向部１１４ｂとで構成されている。【選択図】  図１
2013111958.tif 000002
【特許請求の範囲】
【請求項１】
軸状に形成されたシャンクの先端部に硬脆材を切削するための切れ刃を有した刃部を備えた硬脆材用切削工具であって、
前記切れ刃は、
前記シャンク側が同シャンクの径方向内側に向って凹みながら同シャンクの軸方向に延びて形成された凹状部と、
前記凹状部に連続的に形成されて前記シャンクの軸方向側に延びる軸方向部とで構成されていることを特徴とする硬脆材用切削工具。
【請求項２】
請求項１に記載した硬脆材用切削工具において、
前記刃部は、
前記切れ刃に隣接して形成されるすくい面が負のすくい角で形成されていることを特徴とする硬脆材用切削工具。
【請求項３】
請求項１または請求項２に記載した硬脆材用切削工具において、
前記切れ刃は、
前記凹状部が円弧状に形成されていることを特徴とする硬脆材用切削工具。
【請求項４】
請求項１ないし請求項３のうちのいずれか１つに記載した硬脆材用切削工具において、
前記切れ刃は、さらに、
前記シャンクの周方向側に延びて形成されていることを特徴とする硬脆材用切削工具。
【請求項５】
請求項１ないし請求項４のうちのいずれか１つに記載した硬脆材用切削工具において、
前記刃部は、
前記シャンクの周方向に沿って複数設けられていることを特徴とする硬脆材用切削工具。
【請求項６】
請求項１ないし請求項５のうちのいずれか１つに記載した硬脆材用切削工具において、
前記シャンクは、
前記切れ刃に対して切削液を供給するための切削液導入路を有することを特徴とする硬脆材用切削工具。
【発明の詳細な説明】
【技術分野】
【０００１】
本発明は、ガラス材、セラミック材および石材などの硬くて脆い材料である硬脆材を切削するための硬脆材用切削工具に関する。
【背景技術】
【０００２】
従来から、ガラス材、セラミック材および石材などの硬くて脆い材料である硬脆材を切削するための硬脆材用切削工具が知られている。例えば、下記特許文献１には、軸状のシャンクの外周部に螺旋状の外周刃を設けるとともにシャンクの先端部に底刃を設け、これら外周刃と底との間にギャッシュを設けて外周刃のすかし角、ギャッシュのすくい角および長さを適宜設定した硬脆材用のエンドミルが開示されている。
【先行技術文献】
【特許文献】
【０００３】
【特許文献１】特開２００４−２８３９６５号公報
【発明の概要】
【０００４】
しかしながら、上記特許文献１に示されたエンドミルに代表される従来の硬脆材用切削工具においては、被削材の切削時の振動によって被削材における切削部にこば欠け、チッピングまたはクラックなどの損傷が生じるという問題があった。特に、携帯電話の表示画面に用いられるガラス板などの厚さが極めて薄い硬脆材の切削加工においては、切削加工時に振動が生じ易いとともにこの振動による影響を受け易くこば欠け、チッピングまたはクラックなどの損傷を抑えて加工することが極めて困難であるという問題があった。
【０００５】
本発明は上記問題に対処するためなされたもので、その目的は、硬脆材からなる被削材の振動を抑えて精度良く切削加工を行うことができる硬脆材用切削加工工具を提供することにある。
【０００６】
上記目的を達成するため、請求項１に係る本発明の特徴は、軸状に形成されたシャンクの先端部に硬脆材を切削するための切れ刃を有した刃部を備えた硬脆材用切削工具であって、切れ刃は、シャンク側が同シャンクの径方向内側に向って凹みながら同シャンクの軸方向に延びて形成された凹状部と、凹状部に連続的に形成されてシャンクの軸方向側に延びる軸方向部とで構成されていることにある。
【０００７】
このように構成した請求項１に係る本発明の特徴によれば、硬脆材用切削工具は、硬脆材を切削する切れ刃がシャンクの径方向内側に凹状に逃げつつ同シャンクの軸方向に沿って延びる凹状部と、この凹状部に対して連続的に形成されてシャンクの軸方向に延びる軸方向部とで構成されている。この場合、凹状部は、硬脆材を切削する際、シャンクの径方向内側に逃げつつ同シャンクの軸方向に沿って延びる凹状の部分が硬脆材の切削部分上に位置する。このため、硬脆材用切削工具は、硬脆材の切削加工時における硬脆材のシャンク側への変位を規制することができる。すなわち、硬脆材用切削工具は、硬脆材の切削加工時における振動を抑えることができるため、硬脆材にこば欠け、チッピングまたはクラックなどの損傷が生じることを抑えて精度良く切削加工を行うことができる。
【０００８】
また、請求項２に係る本発明の他の特徴は、前記硬脆材用切削工具において、刃部は、切れ刃に隣接して形成されるすくい面が負のすくい角で形成されていることにある。
【０００９】
このように構成した請求項２に係る本発明の他の特徴によれば、硬脆材用切削工具は、切れ刃に隣接して形成されるすくい面が負のすくい角で形成されている。これにより、硬くて脆い性質を有する硬脆材のこば欠け、チッピングまたはクラックなどの損傷をより効果的に抑えて精度良く切削加工を行うことができる。
【００１０】
また、請求項３に係る本発明の他の特徴は、硬脆材用切削工具において、切れ刃は、凹状部が円弧状に形成されていることにある。
【００１１】
このように構成した請求項３に係る本発明の他の特徴によれば、硬脆材用切削工具は、切れ刃における凹状部が円弧状に形成されている。これにより、硬脆材用切削工具は、切削加工時における凹状部内での応力集中が抑えられるため耐久性を向上させることができる。この結果、硬脆材用切削工具は、長期間に亘って安定的な切削能力を発揮することができる。
【００１２】
また、請求項４に係る本発明の他の特徴は、前記硬脆材用切削工具において、切れ刃は、さらに、シャンクの周方向側に延びて形成されていることにある。
【００１３】
このように構成した請求項４に係る本発明の他の特徴によれば、硬脆材用切削工具は、切れ刃がシャンクの周方向に沿って延びて形成されている。これにより、硬脆材用切削工具は、切削加工時において切れ刃のシャンク側の部分から徐々に被削材に接触して切削するため切削抵抗を低減して切削時の発熱を抑えることができる。この結果、硬脆材用切削工具は、長期間に亘って安定的な切削能力を発揮することができる。
【００１４】
また、請求項５に係る本発明の他の特徴は前記硬脆材用切削工具において、刃部は、シャンクの周方向に沿って複数設けられていることにある。
【００１５】
このように構成した請求項５に係る本発明の他の特徴によれば、硬脆材用切削工具は、刃部がシャンクの周方向に沿って複数設けられている。これにより、硬脆材用切削工具は、シャンクの先端部に設けられた複数の刃部によって効率的に硬脆材の切削加工を行うことができる。
【００１６】
また、請求項６に係る本発明の他の特徴は前記硬脆材用切削工具において、シャンクは、切れ刃に対して切削液を供給するための切削液導入路を有することにある。
【００１７】
このように構成した請求項６に係る本発明の他の特徴によれば、硬脆材用切削工具は、シャンクの切れ刃に対して切削液を供給するための切削液導入路が形成されている。このため、硬脆材切削工具における切削加工時においては、硬脆材用切削工具における切れ刃部分に切削液が供給されるため、切削屑が切削部分に留まることが防止される。これにより、硬脆材用切削工具は、切削屑による切削障害を抑えて安定した状態で精度良く切削加工を行うことができる。
【図面の簡単な説明】
【００１８】
【図１】本発明の実施形態に係る硬脆材用切削工具の外観構成を概略的に示した斜視図である。
【図２】図１に示す硬脆材用切削工具の主要部を拡大した拡大斜視図である。
【図３】図１に示す硬脆材用切削工具の主要部を異なる方向から見て拡大した拡大斜視図である。
【図４】図１に示す硬脆材用切削工具による被削材の切削加工の様子を示す一部破断正面図である。
【図５】図１に示す硬脆材用切削工具の外観構成の概略を示す底面図である。
【図６】図１に示す硬脆材用切削工具の製造過程を説明するための斜視図である。
【図７】本発明の変形例に係る硬脆材用切削工具の主要部の外観構成を概略的に示した正面図である。
【図８】本発明の他の変形例に係る硬脆材用切削工具の外観構成を概略的に示した斜視図である。
【発明を実施するための形態】
【００１９】
（硬脆材用切削工具１００の構成）
以下、本発明に係る硬脆材用切削工具の一実施形態について図面を参照しながら説明する。図１は、本発明に係る硬脆材用切削工具１００の外観構成を概略的に示す斜視図である。なお、本明細書において参照する図は、本発明の理解を容易にするために一部の構成要素を誇張して表わすなど模式的に表している。このため、各構成要素間の寸法や比率などは異なっていることがある。この硬脆材用切削工具１００は、ガラス材、セラミック材および石材などの硬くて脆い性質を有する所謂硬脆材を被削材ＷＫとして切削加工する際に用いる加工工具である。
【００２０】
この硬脆材用切削工具１００は、シャンク１０１を備えている。シャンク１０１は、後述する刃部１１０を支持するとともに、この硬脆材用切削工具１００を図示しない切削加工機の主軸に把持させるための部分であり、丸棒状に形成されている。このシャンク１０１は、被削材ＷＫの切削加工に耐え得る材料、例えば鋼材によって構成されている。本実施形態においては、シャンク１０１は、直径が約６ｍｍ、長さが約６０ｍｍの丸棒状の超硬合金鋼によって構成されている。
【００２１】
シャンク１０１における一方（図示左側）の先端部には、外径が先細りの形状に成形されて被削材ＷＫに対する逃げ部１０２が形成されるとともにこの逃げ部１０２の先に刃部１１０が形成されている。刃部１１０は、被削材ＷＫを切削加工する部分であり、被削材ＷＫを切削することが可能な工具用の材料で構成されている。本実施形態においては、刃部１１０は、焼結ダイヤモンドによって構成されている。
【００２２】
この刃部１１０は、シャンク１０１の先端部から錐状に突出した形状でシャンク１０１の周方向に沿って等間隔に６つ形成されている。より具体的には、各刃部１１０は、図２および図３に示すように、シャンク１０１の先端部からシャンク１０１の軸方向（長手方向）側に立ち上る３つの面である第１壁面１１１、第２壁面１１２および第３壁面１１３と、これら３つの面のうちの第１壁面１１１と第２壁面１１２とで形成される稜線上に形成される切れ刃１１４と、第１壁面１１１、第２壁面１１２および第３壁面１１３の３つの面の先端部に形成される先端面１１５とで構成されている。
【００２３】
第１壁面１１１は、図４および図５に示すように、切れ刃１１４の所謂すくい面を構成する面であり、シャンク１０１の径方向の内側に向って所定のすくい角で形成されている。より具体的には、第１壁面１１１は、切削加工時における被削材ＷＫの垂直面に対して負のすくい角で形成されるとともに、切れ刃１１４をシャンク１０１の周方向側に傾斜させるために同シャンク１０１の周方向側に若干曲がった曲面で形成されている。本実施形態においては、第１壁面１１１は、−１０°の負のすくい角で形成されるとともに、切れ刃１１４をシャンク１０１の径方向に５°だけ傾斜させる曲面に形成されている。
【００２４】
第２壁面１１２は、図４および図５に示すように、切れ刃１１４の所謂逃げ面を構成する面であり、シャンク１０１の周方向に沿って所定の逃げ角で形成されている。より具体的には、第２壁面１１２は、シャンク１０１の先端部に複数の刃部１１０を等間隔に形成した際における各刃部１１０の回転角度、すなわち、３６０°を刃部１１０の数で等分した角度を逃げ角として同逃げ角に沿って形成される。本実施形態においては、第２壁面１１２は、逃げ角が６０°で形成されている。
【００２５】
そして、この場合、第２壁面１１２は、シャンク１０１側がシャンク１０１の径方向の内側に向って凹状に凹んだ曲面で形成された後、シャンク１０１の軸方向に沿って平面状に延びて形成されている。本実施形態においては、第２壁面１１２は、曲面部分の半径が０.５ｍｍの円弧で形成されるとともに平面部分がシャンク１０１の軸線の平行線に対してシャンク１０１の中心軸側に向って１５°傾斜して形成されている。
【００２６】
第３壁面１１３は、シャンク１０１の回転方向の後方側に設けられる刃部１１０を形成する際に同刃部１１０を構成するすくい面１１１および切れ刃１１４から所定の隙間を介して形成される壁面であり、対向する刃部１１０を構成するすくい面１１１に沿って形成される。また、この第３壁面１１３は、シャンク１０１の周方向に曲がった曲面で形成されている。
【００２７】
切れ刃１１４は、被削材ＷＫを実際に切削する鋭利な線状の部分であり、第１壁面１１１と第２壁面１１２とで形成される稜線によって構成されている。この切れ刃１１４は、シャンク１０１側からシャンク１０１の径方向の内側に向って凹状に凹んで形成された凹状部１１４ａと、この凹状部１１４ａに連続的に形成されてシャンク１０１の軸線方向側に直線状に延びた軸方向部１１４ｂとで構成されている。本実施形態においては、切れ刃１１４は、凹状部１１４ａの半径が０.５ｍｍの円弧で形成されるとともに軸方向部１１４ｂがシャンク１０１の中心軸側に向って１５°だけ傾斜して形成されている。
【００２８】
また、この切れ刃１１４は、更に、シャンク１０１側から軸方向部１１４ｂの先端部に向ってシャンク１０１の周方向に延びて形成されている。より具体的には、切れ刃１１４は、軸方向部１１４ｂ側がシャンク１０１側に比べてシャンク１０１の回転方向（図において破線矢印で示す）の後方側に傾斜して形成されている。本実施形態においては、切れ刃１１４は、切れ刃１１４の丈（シャンク１０１側の端部から軸方向部１１４ｂの先端部までの高さ）を０.５ｍｍとした場合、シャンク１０１の径の中心を中心として切れ刃１１４におけるシャンク１０１側の端部と軸方向部１１４ｂの先端部との間の角度が５°だけずれるようにシャンク１０１の周方向に延びて形成されている。
【００２９】
先端面１１５は、刃部１１０の先端部を形成する面であり、シャンク１０１の回転方向（図において破線矢印で示す）の後方に向ってシャンク１０１側に傾斜して形成されている。すなわち、先端面１１５は、刃部１１０の被削材ＷＫに対する逃げ面を構成している。
【００３０】
ここで、硬脆材用切削工具１００の製造過程について図６を用いて簡単に説明しておく。先ず、硬脆材用切削工具１００を製造する作業者は、シャンク１０１および刃部１１０をそれぞれ構成する工具材料をそれぞれ用意する。本実施形態においては、作業者は、前記したように、シャンク１０１の材料として直径が約６ｍｍ、長さが約６０ｍｍの丸棒状の超硬合金鋼を用意するとともに、刃部１１０の材料として直径が約６ｍｍ、厚さが約１.５ｍｍの薄板円柱状の焼結ダイヤモンドチップＤＣを用意する。この場合、焼結ダイヤモンドチップＤＣは、基材となる円板状の超硬合金鋼上に厚さが０.５ｍｍの焼結ダイヤモンド層が形成されて構成されたものである。なお、図６においては、シャンク１０１に形成される逃げ部１０２および刃部１１０をそれぞれ二点鎖線で示している。
【００３１】
次に、作業者は、超硬合金によって構成された丸棒状のシャンク１０１における一方（図示左側）の先端部に円柱状の焼結ダイヤモンドチップＤＣをロウ付けによって固定する。次に、作業者は、焼結ダイヤモンドチップＤＣをロウ付けしたシャンク１０１を図示しないワイヤカット放電加工機にセットする。この場合、ワイヤカット放電加工機は、把持したシャンク１０１を放電加工に同期させてシャンク１０１の軸線回りに回転変位させることができる図示しないインデックス装置を備えており、作業者はこのインデックス装置にシャンク１０１を把持させる。
【００３２】
次に、作業者は、ワイヤカット放電加工機を操作して、シャンク１０１の先端部に固着された焼結ダイヤモンドチップＤＣおよびシャンク１０１に対して逃げ部１０２を放電加工により成形する。次いで、作業者は、ワイヤカット放電加工機を操作して、シャンク１０１の先端部に固着された焼結ダイヤモンドチップＤＣに対して刃部１１０を放電加工により成形する。この場合、作業者は、第１壁面１１１および第２壁面１１２を成形することにより結果として切れ刃１１４を成形することができる。なお、この場合、第１壁面１１１を成形する工程においては、この第１壁面１１１に対向する隣りの刃部１１０を構成する第３壁面１１３を第１壁面１１１を成形する工程とともに連続的に加工することができる。次に、作業者は、ワイヤカット放電加工機を操作して、先端面１１５を成形することにより刃部１１０を最終成形する。そして、作業者は、ワイヤカット放電加工機のインデックス装置からシャンク１０１を取り外すことにより、硬脆材用切削工具１００の製造作業を終了する。
【００３３】
（硬脆材用切削工具１００の作動）
次に、上記のように構成した硬脆材用切削工具１００の作動について説明する。本実施形態においては、厚さが１ｍｍのガラス材を被削材ＷＫとした場合について説明する。まず、作業者は、被削材ＷＫを切削加工する図示しない切削加工機、例えば、フライス加工機、ＮＣフライス加工機またはマシニングセンタに硬脆材用切削工具１００および被削材ＷＫをそれぞれセットする。この場合、作業者は、硬脆材用切削工具１００におけるシャンク１０１を切削加工機の主軸に把持させる。また、作業者は、被削材ＷＫを切削加工機におけるワークテーブルＷＴ上に固定する。
【００３４】
次に、作業者は、切削加工機を操作することにより硬脆材用切削工具１００を用いて被削材ＷＫの切削加工を開始する。この場合、切削加工機は、被削材ＷＫへの切削加工としては、被削材ＷＫの外形の成形加工、被削材ＷＫへの溝加工または被削材ＷＫの分断加工などがある。この被削材ＷＫの切削加工時においては、切削加工機は、図４に示すように、硬脆材用切削工具１００を図示矢印方向に回転させた状態で刃部１１０における切れ刃１１４を被削材ＷＫの端部に接触させながら被削材ＷＫに対して相対変位させる。この場合、切削加工機は、切れ刃１１４と被削材ＷＫとの接触部分、すなわち、切削加工部分に図示しない水溶性の切削液を供給しながら被削材ＷＫの切削加工を行なう。
【００３５】
この切削加工時において切れ刃１１４は、凹状部１１４ａが被削材ＷＫの表層部分を切削加工するとともに、軸方向部１１４ｂが同表層部分より図示下方の内部部分を切削加工する。この場合、切れ刃１１４における凹状部１１４ａは、シャンク１０１側の端部からシャンク１０１の径方向の内側に向って円弧状に凹んで形成されているため、凹状部１１４ａに対してシャンク１０１の軸方向側に対向する被削材ＷＫの切削部分を覆いながら切削加工を行う。すなわち、切れ刃１１４の凹状部１１４ａは、被削材ＷＫにおける切削部分のシャンク１０１側（図示上側）への変位を規制した状態で切削加工を行なう。
【００３６】
一方、切れ刃１１４における軸方向部１１４ｂは、シャンク１０１の軸方向に沿って形成されているため、被削材ＷＫをシャンク１０１の軸方向に沿って切削加工する。そして、被削材ＷＫにおけるワークテーブルＷＴ側は、ワークテーブルＷＴによって変位が規制されている状態となっている。したがって、被削材ＷＫは、切れ刃１１４の凹状部１１４ａとワークテーブルＷＴとによって変位が規制された状態、すなわち、シャンク１０１とワークテーブルＷＴとの間の図示上下方向の振動が抑えられた状態で、切れ刃１１４における凹状部１１４ａと軸方向部１１４ｂとによって切削される。
【００３７】
また、この場合、切れ刃１１４は、シャンク１０１側から軸方向部１１４ｂの先端部に亘ってシャンク１０１の周方向に傾斜した状態で形成されている。このため、切れ刃１１４は、被削材ＷＫに対してシャンク１０１側から、より具体的には、凹状部１１４ａにおけるシャンク１０１側から軸方向部１１４ｂの先端部側に沿って徐々に接触しながら切削加工を行う。これにより、硬脆材用切削工具１００は、切れ刃１１４の全体を同時に被削材ＷＫに接触させて切削加工を行なう場合に比べて切れ刃１１４の損傷および被削材ＷＫへのこば欠け、チッピングまたはクラックなど損傷の発生を効果的に防止することができる。
【００３８】
そして、この切削加工を行う切削加工機は、作業者によって指示された工具経路を指示された回転数、送り速度および切り込み量で指示された回数だけ繰り返し実行することにより切削加工を行う。これにより、被削材ＷＫには、一方の表面から０.５ｍｍの深さで除去される。したがって、作業者は、被削材ＷＫに対して貫通した状態で切削加工を行いたい場合には、ワークテーブルＷＴ上の被削材ＷＫを取り外した後、被削材ＷＫを裏返して再度ワークテーブルＷＴに取り付けて他方の面からの切削加工を前記と同様にして行なう。これにより、被削材ＷＫに対して厚さ方向に１ｍｍの範囲で切削加工による除去加工を行うことができる。
【００３９】
なお、被削材ＷＫを加工する諸条件、具体的には、硬脆材用切削工具１００の回転数、送り量および切り込み量は、被削材ＷＫの種類、大きさ、形状および加工面粗さなどに応じて適宜設定されるものである。本発明者の実験によれば、例えば、ソーダ石灰ガラス（ソーダガラス）やアルミノケイ酸ガラス（ゴリラガラス）からなる厚さが１ｍｍの板材を被削材ＷＫとした場合、荒加工条件においては回転数が１００００ｒｐｍ、送り量が１０００ｍｍ／ｍｉｎ、切り込み量が０.０５ｍｍで良好に切削加工を行うことができ、仕上げ加工においては、回転数が５００００ｒｐｍ、送り量が１０００ｍｍ／ｍｉｎ、切り込み量が０.０１ｍｍで良好に切削加工を行うことができることを確認した。
【００４０】
上記作動説明からも理解できるように、上記実施形態によれば、硬脆材用切削工具１００は、硬脆材からなる被削材ＷＫを切削する切れ刃１１４がシャンク１０１の径方向内側に凹状に逃げつつ同シャンクの軸方向に沿って延びる凹状部１１４ａと、この凹状部１１４ａに対して連続的に形成されてシャンク１０１の軸方向に延びる軸方向部１１４ｂとで構成されている。この場合、凹状部１１４ａは、被削材ＷＫを切削する際、シャンク１０１の径方向内側に逃げつつ同シャンク１０１の軸方向に沿って延びる凹状の部分が被削材ＷＫの切削部分上に位置する。このため、硬脆材用切削工具１００は、被削材ＷＫの切削加工時における被削材ＷＫのシャンク１０１側への変位を規制することができる。すなわち、硬脆材用切削工具１００は、被削材ＷＫの切削加工時における振動を抑えることができるため、被削材ＷＫにこば欠け、チッピングまたはクラックなどの損傷が生じることを抑えて精度良く切削加工を行うことができる。
【００４１】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００４２】
例えば、上記実施形態においては、切れ刃１１４における凹状部１１４ａを円弧状に形成した。しかし、凹状部１１４ａは、シャンク１０１の径方向内側に向って凹みながら同シャンク１０１の軸方向に延びて形成されていれば、換言すれば、主としてシャンク１０１の径方向内側に沿って形成されば、必ずしも上記実施形態に限定されるものでなはない。この場合、主としてシャンク１０１の径方向内側に沿って形成される凹状部１１４ａとは、凹状部１１４ａがシャンク１０１の軸方向よりも径方向内側に大きく変化しながら形成されていること意味する。そして、この場合、この場合、凹状部１１４ａは、シャンク１０１の端面（径方向）に対して浅い角度、換言すれば、被削材ＷＫの切削面と平行に近い角度で形成する程、被削材ＷＫへのこば欠け、チッピングまたはクラックなどの損傷の発生を抑えることができる。
【００４３】
例えば、図７に示すように、凹状部１１４ａは、シャンク１０１の径方向内側に向って延びながら同シャンク１０１の軸方向に延びる直線状に形成することもできる。また、凹状部１１４ａは、曲線と直線、互いに異なる曲率の曲線同士、互いに異なる角度で傾斜直線同士を適宜組み合わせて構成することもできる。なお、凹状部１１４ａを上記実施形態のように円弧状に形成することにより、被削材ＷＫの加工面における角部を円弧状に形成することができる。これにより、安全面から被削材ＷＫの加工面における角部に丸みを持たせるための後加工を省略することができる。
【００４４】
また、上記実施形態においては、切れ刃１１４における軸方向部１１４ｂをシャンク１０１の中心軸側に向って１５°だけ傾斜して形成した。しかし、軸方向部１１４ｂは、凹状部１１４ａに連続的に形成されてシャンク１０１の軸方向側に延びて形成されていれば、必ずしも上記実施形態に限定されるものではない。すなわち、軸方向部１１４ｂは、シャンク１０１の中心軸側に傾斜させることなくシャンク１０１の軸方向に平行に延びて形成されていてもよい。ただし、本発明者の実験によれば、軸方向部１１４ｂは、シャンク１０１の中心軸側に傾斜させた方が、傾斜させない場合に比べて被削材ＷＫへのこば欠け、チッピングまたはクラックなどの損傷の発生を抑えることができる。
【００４５】
また、上記実施形態においては、刃部１１０における第１壁面１１１を負のすくい角で構成した。しかし、第１壁面のすくい角は、被削材ＷＫの種類や切削加工条件などに応じて適宜設定されるものであり、必ずしも上記実施形態に限定されるものではない。例えば、第１壁面１１１のすくい角を上記実施形態とは異なる負のすくい角に設定してもよいし、正のすくい角に設定してもよい。
【００４６】
また、上記実施形態においては、刃部１１０における第２壁面１１２を６０°の逃げ角で形成した。しかし、この第２壁面１１２における逃げ角も被削材ＷＫの切削加工の障害にならない角度であれば自由に設定することができる。
【００４７】
また、上記実施形態においては、刃部１１０の切れ刃１１４は、シャンク１０１側から軸方向部１１４ｂの先端部に亘ってシャンク１０１の周方向に５°だけ傾斜した状態で形成されている。しかし、切れ刃１１４は、シャンク１０１の周方向に直線状に傾斜させる形状の他に、曲線状に捻る形状を採用することもできる。また、切れ刃１１４を傾斜または捻る角度も上記実施形態に限定されるものではない。本発明者の実験によれば、切れ刃１１４を傾斜または捻る角度は、被削材ＷＫの種類や切削条件に応じて適宜決定されるが概ね３.５°〜４０°の角度範囲が好適である。また、切れ刃１１４は、シャンク１０１側から軸方向部１１４ｂの先端部に亘ってシャンク１０１の周方向における同じ位置に位置するように、すなわち、切れ刃１１４をシャンク１０１の周方向に傾斜または捻らせることなく直線状に形成することもできる。これによれば、切れ刃１１４を簡単かつ短時間に成形することができる。
【００４８】
また、上記実施形態においては、シャンク１０１の先端部に６つの刃部１１０を形成した。しかし、刃部１１０の形成数は、被削材ＷＫの種類や切削加工条件などに応じて適宜決定すればよい。すなわち、刃部１１０は、シャンク１０１の先端部に１つ以上形成されていれば、６つ未満であっても７つ以上であってもよい。ただし、刃部１１０の形成数が多い方が効率的かつ高精度に被削材ＷＫを切削加工することができる。
【００４９】
また、上記実施形態においては、シャンク１０１を超硬合金鋼で構成するとともに刃部１１０を焼結ダイヤモンドで構成した。しかし、シャンク１０１および刃部１１０を構成する材料は、被削材ＷＫの種類や切削加工条件などに応じて適宜選定すればよい。例えば、シャンク１０１および刃部１１０を構成する材料としては、各種工具鋼（炭素工具鋼、合金工具鋼、高速度工具鋼）、超硬合金、セラミック、サーメットおよびＣＢＮなどを用いることができる。
【００５０】
また、上記実施形態においては、硬脆材用切削工具１００による被削材ＷＫの切削加工部分に水溶性の切削液を供給しながら切削加工を行った。この場合、切削液の供給方法としては、刃部１１０の外側から刃部１１０に切削液を注ぐ方式や、切削液で満たしたプール内に硬脆材用切削工具１００による被削材ＷＫの切削加工部分を浸漬した状態で切削加工を行う方式がある。また、これらの他に、刃部１１０の内側から切削液を供給する方式を採用することもできる。例えば、図８に示すように、シャンク１０１を軸方向に貫通して６つの刃部１１０が形成されたシャンク１０１の径の中心部に開口する切削液導入路１０３を設けることができる。この場合、シャンク１０１に形成された切削液導入路１０３には、切削加工機から切削液が供給される。これによれば、硬脆材用切削工具における切れ刃部分に刃部の内側から切削液が供給されるため、切削屑が切削部分に留まることが防止される。これにより、硬脆材用切削工具は、切削屑による切削障害を抑えて安定した状態で精度良く切削加工を行うことができる。なお、切削液は、切削屑の排出機能および切削部分の冷却機能を発揮するものであれば、水性および油性の切削液を用いることができる。また、液体に代えて不活性ガスからなる気体を用いることもできる。
【符号の説明】
【００５１】
ＷＫ…被削材、ＷＴ…ワークテーブル、ＤＣ…焼結ダイヤモンドチップ、
１００…硬脆材用切削工具、１０１…シャンク、１０２…逃げ部、１０３…切削液導入路、
１１０…刃部、１１１…第１壁面、１１２…第２壁面、１１３…第３壁面、１１４…切れ刃、１１４ａ…凹状部、１１４ｂ…軸方向部、１１５…先端面。
【図１】
2013111958.tif 000003
【図２】
2013111958.tif 000004
【図３】
2013111958.tif 000005
【図４】
2013111958.tif 000006
【図５】
2013111958.tif 000007
【図６】
2013111958.tif 000008
【図７】
2013111958.tif 000009
【図８】
2013111958.tif 000010